(57)【要約】      （修正有）【課題】設置状況や支柱の仕様が多様であっても、揺動子による制振性能を十分に発揮することができる制振装置、及びその制振装置が取り付けられた標識柱並びに照明柱を提供する。【解決手段】側壁部と取付固定部とが設けられた装置本体１０が、少なくとも二点で装置本体１０と構造物Ｓとの距離を調整可能とする距離調整材８３を用いた取付手段２０により取り付けられていることで、構造物Ｓが斜めに傾いていたり、外径が変化していたりする場合であっても、装置本体１０の揺動子と側壁部との間隔を最適なものに調整し、設置状況や支柱の仕様が多様であっても、揺動子による制振性能を十分に発揮するものとすることができる。【選択図】図３
2007239906.tif 000002
【特許請求の範囲】
【請求項１】
制振の対象とする構造物に伴って振動する取付固定部と、該取付固定部に対して揺動自在に吊り下げられた間隔保持材と、該間隔保持材に取り付けられて取付固定部の下方に設けられた揺動子と、該揺動子の側方を囲んで設けられた側壁部とを備え、外部からの振動による揺動子の揺動及び揺動子の側壁部への衝突により振動を減衰させる制振装置であって、前記側壁部と取付固定部とは装置本体に設けられ、該装置本体が少なくとも二点で取付手段により制振の対象とする構造物に取り付けられ、該取付手段により装置本体と前記構造物との距離が調整可能となされていることを特徴とする制振装置。
【請求項２】
前記取付手段は、更に前記距離が調整可能な方法と、平面視で直交する方向に取付位置を調整できる位置調整手段が設けられていることを特徴とする請求項１に記載の制振装置。
【発明の詳細な説明】
【技術分野】
【０００１】
本発明は、主として道路周辺に設置される標識柱、照明柱などに取り付けられ、風や交通振動等に由来する振動を制振する制振装置及びそれを用いた標識柱並びに照明柱に関するものである。
【背景技術】
【０００２】
従来の、振動に応じて重錘を揺動させ、重錘を囲む側壁に衝突させることで制振を図る制振装置は、簡便な構造で高い効果が得られることから、よく用いられてきていると共に、種々の発明が開示されてきている。かかる制振装置としては、例えば道路又は鉄道などに併設する照明柱、標識柱又は信号柱などの鋼管柱の内部に格納して装備される減衰式制振装置であって、上端が支軸回りに揺動可能に支持され、下端側に重りが設けられた振り子と、この振り子と鋼管柱側の固定部との間に設けられたダンパーとを備えており、上記重りは、少なくとも振り子の揺動方向の幅寸法が下方に向かうに従って次第に小さくなるように形成されており、上記振り子の上端には振り子の軸方向と略直角でかつ振り子の揺動方向に突出するアーム部が設けられ、このアーム部の先端に上記ダンパーの一端が連結されているとともに、ダンパーは、上記支軸の上方で鋼管柱内の上下方向に沿って配置されている鋼管柱の減衰式制振装置が開示されている。
【０００３】
【特許文献１】特開２００１−５９５４３号公報
【発明の開示】
【発明が解決しようとする課題】
【０００４】
しかしながら、標識柱や照明柱は設置状況や支柱の仕様が多様なものであり、特許文献１に記載のような従来の振り子型の制振装置では、鋼管柱によっては振り子と側壁との間の間隔が適当ではない状態となる恐れがあり、制振性能を十分に発揮できなくなる場合があった。
【０００５】
本発明は上記の如き課題に鑑みてなされたものであり、設置状況や支柱の仕様が多様であっても、揺動子による制振性能を十分に発揮することができる制振装置、及びその制振装置が取り付けられた標識柱並びに照明柱を提供せんとするものである。
【課題を解決するための手段】
【０００６】
上記目的を達成するため、本発明は以下のような構成としている。すなわち、本発明に係わる制振装置は、制振の対象とする構造物に伴って振動する取付固定部と、該取付固定部に対して揺動自在に吊り下げられた間隔保持材と、該間隔保持材に取り付けられて取付固定部の下方に設けられた揺動子と、該揺動子の側方を囲んで設けられた側壁部とを備え、外部からの振動による揺動子の揺動及び揺動子の側壁部への衝突により振動を減衰させる制振装置であって、前記側壁部と取付固定部とは装置本体に設けられ、該装置本体が少なくとも二点で取付手段により制振の対象とする構造物に取り付けられ、該取付手段により装置本体と前記構造物との距離が調整可能となされていることを特徴とするものである。
【０００７】
本発明に係わる制振装置によれば、側壁部と取付固定部とが設けられた装置本体が、少なくとも二点で装置本体と構造物との距離を調整可能とする取付手段により取り付けられていることで、構造物が斜めに傾いていたり、外径が変化していたりする場合であっても、装置本体の揺動子と側壁部との間隔を最適なものに調整し、設置状況や支柱の仕様が多様であっても、揺動子による制振性能を十分に発揮するものとすることができる。
【０００８】
また前記取付手段は、更に前記距離が調整可能な方法と、平面視で直交する方向に取付位置を調整できる位置調整手段が設けられていれば、全ての方向について揺動子と側壁部との間隔を最適なものとするのが容易となり好ましい。
【０００９】
また本発明に係わる標識柱並びに照明柱は、請求項１又は２に記載の制振装置が取り付けられていることを特徴とするものである。
【００１０】
本発明に係わる標識柱並びに照明柱によれば、風や交通振動等に由来する振動が制振装置によって制振され、疲労破壊を未然に防止することができるが、請求項１又は２に記載の制振装置を用いることで、標識柱並びに照明柱の設置状況や支柱の仕様が多様であっても、装置本体の揺動子と側壁部との間隔を最適なものに調整して制振装置の性能が最大限に発揮され、振動に対する耐久性が高められたものとできる。
【発明の効果】
【００１１】
本発明に係わる制振装置によれば、側壁部と取付固定部とが設けられた装置本体が、少なくとも二点で装置本体と構造物との距離を調整可能とする取付手段により取り付けられていることで、構造物が斜めに傾いていたり、外径が変化していたりする場合であっても、装置本体の揺動子と側壁部との間隔を最適なものに調整し、設置状況や支柱の仕様が多様であっても、揺動子による制振性能を十分に発揮するものとすることができる。
【００１２】
また本発明に係わる標識柱並びに照明柱によれば、風や交通振動等に由来する振動が制振装置によって制振され、疲労破壊を未然に防止することができるが、請求項１又は２に記載の制振装置を用いることで、標識柱並びに照明柱の設置状況や支柱の仕様が多様であっても、装置本体の揺動子と側壁部との間隔を最適なものに調整して制振装置の性能が最大限に発揮され、振動に対する耐久性が高められたものとできる。
【発明を実施するための最良の形態】
【００１３】
本発明に係わる最良の実施の形態について、図面に基づき以下に具体的に説明する。
【００１４】
図１は、本発明に係わる制振装置の、実施の一形態を示すもので、（ａ）は設置状態を示す側面図、（ｂ）は制振装置の内部を示す縦断面図である。まず（ａ）において、制振装置１００は、制振の対象となる構造物の構造物Ｓに対し、Ｕバンド８１及びボルト８２から構成される取付手段２０を用いて二点にて取り付けられている。Ｕバンド８１は、制振の対象となる標識柱や照明柱の支柱部分である構造物Ｓに巻回されると共に、装置本体１０の取付部７に挿通されてボルト８２によりボルト止めされることで装置本体１０を構造物Ｓに固定するようにしたものである。
【００１５】
次に（ｂ）において、装置本体１０は、円筒状の筒状体５の上下端が蓋体６Ａ及び６Ｂにより閉塞され、上方の蓋体６Ａの下面に金属製のプレートである取付固定部２が溶接等により固着されて設けられている。取付固定部２から下方に間隔保持材３が垂下されると共に、間隔保持材３に揺動子１が取り付けられている。間隔保持材３は二体のシャックルを縦横に組み合わせて取付固定部２に取り付けられていることで、揺動子１が水平方向の全ての方向に対して揺動可能となされている。揺動子１は筒状体５内で揺動することと、筒状体５の内面である側壁部４に衝突することで制振を行うようになされている。かかる制振装置１００により、装置本体１０が取付手段２０により構造物Ｓに取り付けられ、間隔保持材３が取付固定部２に対して揺動自在に取り付けられることで、制振の対象となる構造物から伝播された取付固定部２への振動が揺動子１を揺動させて制振を行うようになされる。揺動子１と側壁部４との間隔Ｋは、制振の対象となる振動に対して最適となるように予め設定されているものである。
【００１６】
図２は、揺動子の詳細を示す縦断面図である。揺動子１は、金属製の重錘１２とゴム等の弾性体により形成された緩衝部１１とを備え、各々は円盤状の形状となされ、円盤状の中心に長尺ボルト（後述）を挿通する通孔が設けられている。緩衝部１１及び重錘１２に、間隔保持材３を構成する長尺ボルト３１が挿通され、緩衝部１１及び重錘１２を上下から挟持ナット３２を締結して締め込むことで、緩衝部１１及び重錘１２が動揺して制振効果が損なわれることを防止している。緩衝部１１の外面は、重錘１２の外面より外側に突出されており、揺動子１が揺動した場合に緩衝部１１のみが側壁部４に衝突するようになされている。本実施形態においては、重錘１２を四体用い、弾性体１１の下方に一体、上方に三体取り付けているが、重錘１２の数量及び配置の形態は、制振の対象となる振動の加速度に応じて揺動子１の質量を最適とできるようにすると共に、制振の対象となる振動の周波数に応じて弾性体１１と取付固定部２との距離を最適とできるよう、適宜設定するのが好ましい。
【００１７】
また、緩衝部１１の内部には、緩衝部１１と略同一か、又は緩衝部１１より僅かに小さい厚みの金属製のスペーサー１３が設けられている。かかるスペーサー１３により、挟持ナット３２を強く締め込んで緩みが発生する恐れを小さくでき、また弾性体からなる緩衝部１１が劣化した場合でも緩衝部１１及び重錘１２が動揺する恐れを少なくできる。尚、挟持ナット３２としてロックナットを用いたり、と重錘１２との間にスプリングワッシャーを挟み込んだりして、適宜挟持ナット３２の緩み止めを図っておくのが好ましい。
【００１８】
構造物の構造物Ｓの外面が水平面に対して垂直に立設されている場合には、図１に示す如く装置本体１０と構造物Ｓ外面との距離を取付手段２０により一定として間隔を最適なものとできるが、例えば図３に示す如く、構造物Ｓが水平面に対して垂直でない場合には、構造物Ｓの外面Ｓ１は水平面に対して傾斜したものとなる。かかる構造物Ｓに対して外面Ｓ１に通常のＵバンド等によって装置本体１０を取り付けた場合には、図１に示した揺動子１と側壁部４との間隔Ｋが最適でなくなり、当初設定した制振性能が得られなくなる。そこで図３に示す如く、上方の取付部７Ａと構造物Ｓの外面Ｓ１との間に距離調整材８３を取り付けることで取付手段２０により装置本体１０と外面Ｓ１との距離を調整可能としておくことで、取付手段２０による装置本体１０の取付時に取り付けを行う二点における外面Ｓ１との距離を適宜に設定して装置本体１０を水平面と垂直にして、揺動子１と側壁部４との間隔Ｋを最適なものとすることで制振装置１００の制振効果を最大限に発揮させるようにできる。
【００１９】
図４は、距離調整材８３の、適用の一例を示す斜視図である。距離調整材８３は板状体のものであって、単数で若しくは複数枚で重ねて用いられることで取付部７と外面Ｓ１との距離を調整するものである。装置本体１０を構成する取付部７は、筒状体５の上端に取り付けられ蓋体６Ａの一端に垂直板部７１が垂直に一体となされて設けられ、蓋体６Ａと垂直板部７１との取り付けを補強するリブ部７２とが一体に設けられており、垂直板部７１にはＵバンドを挿通するボルト孔７３と、上方左右端に設けられ仮止用ボルト８６を挿通させる仮止用孔（図示せず）が設けられている。距離調整材８３にも、Ｕバンド８１を挿通するボルト孔８４と、仮止用ボルト８６を挿通させる仮止用孔８５とが設けられ、これらの孔は垂直板部７１に設けられたものと取付時に一致する位置に設けられることで、垂直板部７１と距離調整材８３とを重ねてＵバンド８１及び仮止用ボルト８６を挿通可能な状態としている。
【００２０】
また、構造物Ｓの立設される状態や、外面Ｓ１の状態は三次元的に変化する場合もあり、例えば図３が左右方向に傾いているとすると、図５に示す構造物Ｓは前後方向に傾斜しているものであり、また設置の状況においては、左右及び前後方向に三次元的に傾斜している場合も考え得る。図５の（ａ）は、構造物Ｓと正対する方向からの正面図であるが、取付部７Ａ及び７Ｂに設けられた長孔のボルト孔７３に対して、Ｕバンド８１が異なる位置にて挿通されている。（ｂ）は取付部７Ａ付近の詳細を示す斜視図であるが、ボルト孔７３に挿通されたＵバンド８１は、ボルト孔７３が長孔となされていることで長孔内にて摺動可能となされて位置調整手段となされており、左右方向Ｙに長孔の範囲内で位置を調整することが可能となされている。またボルト孔７３の長孔は左右端が下方に向かって傾斜するように設けられていることで、装置本体１０が回動する方向に位置調整を行うことが可能となされている。
【００２１】
上述の距離調整材８３及び長孔となされたボルト孔７３により、装置本体１０は図６に示す如く、左右方向ｘの距離調整、及び前後方向ｙの位置調整がいずれも可能となり、構造物Ｓに自在の角度にて取り付けることが可能となされることで、全ての方向について揺動子１と側壁部４との間隔Ｋを容易に最適なものとすることができる。また装置本体１０、例えば蓋体６Ａの上面に、気泡式等の簡易的な水準器Ｊを取り付けておき、水準器Ｊにより水平を確認しつつ装置本体１０の取り付けを行うことで、取り付けに係わる作業はより一層容易且つ確実なものとなり得る。
【００２２】
図７は、本発明に係わる制振装置の、他の実施形態を示すもので、（ａ）は装置本体を示す縦断面図、（ｂ）は装置本体内の横断面図である。装置本体１０は、筒状体５の上下端が蓋体６Ａ及び６Ｂにより閉塞され、上方の蓋体６Ａの下面に取付固定部２が設けられ、取付固定部２から下方に間隔保持材３が取り付けられている。間隔保持材を構成する長尺ボルト３１に図１に示したものと同じ揺動子１が挟持ナット３２により取り付けられているが、長尺ナット３１と取付固定部２とはシャックルではなくユニバーサルジョイント３４により揺動自在に固定されており、シャックルより部材同士の擦れる音が小さいことで、揺動子１の揺動による騒音を低減するようになされている。また上方の蓋体６Ａは、蓋体本体６１の下面に下方に突出して設けられた当接板部６２に、筒状体５に挿通された取付ボルト６３が当接板部６２に固着されたナット６４に螺着されることで筒状体５に取り付けられている。当接板部６２は（ｂ）に示す如く同心円上に同一形状の三体が等間隔に配置され、各々の当接板部６２の両端は筒状体５の内面に当接するようになされている。かかる構造となされていることで、蓋体６Ａの中心に取付固定部２を設けておけば、蓋体６Ａを筒状体５に取り付けるのみで、当接板部６２により取付固定部２の位置が一定となされ、筒状体５の中央に取付固定部２ひいては揺動子１が配置されるようになされることで、揺動子１と側壁部４との間隔Ｋが最適なものとなされて、当初の設計通りの制振性能を発揮させることができる。
【００２３】
また図８は、蓋体６Ａの変形の一例を示す縦断面図である。筒状体５の上端面と蓋体６Ａとの間にはパッキン材Ｐが取り付けられることで、内部への水の侵入が阻止されるようになされ、水が溜まることによる揺動子１の揺動の悪化や、ユニバーサルジョイント３４等の錆による同じく揺動の悪化を防ぐようにできる。パッキン材６は、筒状体５の上端面の全周に亘って取り付けておくのが好ましい。また蓋体６Ａの端縁付近を下方に向かって折り曲げた縁部６５としておけば、筒状体５の上端付近に水分が到達する恐れを小さくして、更なる水の侵入防止を図ることができる。
【００２４】
上述に示した実施形態の如き制振装置を、標識柱や照明柱を構成する構造物Ｓ等に取り付けることで、設置状況や構造物Ｓの仕様が多様であっても、標識柱並びに照明柱に取り付けた装置本体１０の揺動子１と側壁部４との間隔Ｋを最適なものに調整して制振装置の性能を最大限に発揮させることができ、風や交通振動等に由来する振動を効果的に制振して、疲労破壊を未然に防止して振動に対する耐久性が高められたものすることができる。
【図面の簡単な説明】
【００２５】
【図１】本発明に係わる制振装置の、実施の一形態を示す説明図である。
【図２】揺動子の詳細を示す縦断面図である。
【図３】本発明に係わる制振装置の、実施の一形態を示す説明図である。
【図４】取付手段を構成する距離調整材の、一例を示す斜視図である。
【図５】位置調整手段が設けられた取付手段の一例を示す説明図である。
【図６】本発明に係わる制振装置の、実施の一形態を示す平面図である。
【図７】本発明に係わる制振装置の、他の実施形態を示す説明図である。
【図８】図７に示した筒状体の、上端付近の詳細を示す縦断面図である。
【符号の説明】
【００２６】
１    揺動子
２    取付固定部
３    間隔保持材
４    側壁部
１０  装置本体
２０  取付手段
１００  制振装置
Ｓ    構造物
【図１】
2007239906.tif 000003
【図２】
2007239906.tif 000004
【図３】
2007239906.tif 000005
【図４】
2007239906.tif 000006
【図５】
2007239906.tif 000007
【図６】
2007239906.tif 000008
【図７】
2007239906.tif 000009
【図８】
2007239906.tif 000010